(57)【要約】      （修正有）【課題】携行に適した軽量で嵩張らないシステム手帳を提供する。【解決手段】クリップ２とカバー６ｂとプレート１０と綴じ具１２から構成されるシステム手帳であって、クリップの胴体部の略中央下部にネジ孔５が形成され、胴体部の上部にフック部４が設けられ、カバーの背表紙の上部及び下部にネジ孔８が形成され、背表紙の上端及び下端に切欠部９が形成され、プレートの上部及び下部にネジ孔１１が形成され、綴じ具にはリフィルの綴じ孔に挿通自在のリング部が複数設けられ、綴じ具の上端及び下端に突出部１２ａ、１２ｂが形成され、カバーとプレートと綴じ具はクリップにより挟持され、クリップとカバーとプレートは一体にネジ止めされて固定される。【選択図】図２
0003223588.tif 000002
【実用新案登録請求の範囲】
【請求項１】
背表紙部の上部及び下部にネジ孔が形成され、前記背表紙部の上端及び下端に切欠部が形成されたカバーと、
胴体部の略中央下部にネジ孔が形成され、前記胴体部の上部にフック部が設けられたクリップと、
上部及び下部にネジ孔が形成された細長のプレートと、
リフィルの綴じ孔に挿通自在のリング部が複数設けられ、上端及び下端に突出部が形成された細長の綴じ具からなるシステム手帳であって、
前記カバー及びプレート及び綴じ具は前記クリップにより挟持されると共に、前記クリップ及びカバー及びプレートは一体にネジ止めされて固定されること、を特徴とするシステム手帳。
【請求項２】
背表紙部の上部及び下部にネジ孔が形成され、前記背表紙部の上端及び下端に切欠部が形成されたカバーと、
胴体部の略中央下部にネジ孔が形成され、前記胴体部の上部にフック部が設けられたクリップと、
上部及び下部にネジ孔が形成された細長のプレートと、
リフィルの綴じ孔に挿通自在のリング部が複数設けられ、上端及び下端に突出部が形成された細長の綴じ具と、
上部及び下部に薄肉部が形成され、前記薄肉部にネジ孔が形成された細長の補強プレートと、からなるシステム手帳であって、
前記補強プレート及びカバー及びプレート及び綴じ具は前記クリップにより挟持されると共に、前記クリップ及び補強プレート及びカバー及びプレートは一体にネジ止めされて固定されること、を特徴とするシステム手帳。
【考案の詳細な説明】
【技術分野】
【０００１】
本考案は、軽量で嵩張らないシステム手帳に関するものである。
【背景技術】
【０００２】
従来のシステム手帳は、図８に示すように、二枚のカバー１０１を固定具１０２と厚紙１０４を挟んだ状態で縫い合わせると共に、リフィルを綴じるためのバインダー部１０３とカバー１０１の背表紙の内面側に位置する固定具１０２とが、カバー１０１の背表紙の裏面側においてネジ等により固定されるものが一般的である。
【０００３】
しかし、このようにカバーを二重構造とした場合、原材料費が嵩むという問題に加え、システム手帳全体の厚みや重量が増してしまう、という問題がある。
【０００４】
また、近年のスマートフォンの普及により、以前はリフィルにより管理・利用していたアドレス帳や資料等を電子データとして管理・利用することが可能になってはいるものの、システム手帳が有するメモ帳としての利便性や高い一覧性等から、システム手帳とスマートフォンを併用する者も多い。
【０００５】
そして、そのような者にとっては、スマートフォンに加えて携行するシステム手帳はより軽く嵩張らないものが望ましい。
【０００６】
また、システム手帳は使用する年数や頻度が増えるほどリフィルの枚数が増えてしまうため、使用者としては少しでも重さを減らしたい、という要望もある。
【考案の概要】
【考案が解決しようとする課題】
【０００７】
本考案は、以上のような問題を解消し、携行に適した軽量で嵩張らないシステム手帳を提供することを目的とする。
【課題を解決するための手段】
【０００８】
上記の課題を解決するため、請求項１に記載の考案は、システム手帳において、背表紙部の上部及び下部にネジ孔が形成され、前記背表紙部の上端及び下端に切欠部が形成されたカバーと、胴体部の略中央下部にネジ孔が形成され、前記胴体部の上部にフック部が設けられたクリップと、上部及び下部にネジ孔が形成された細長のプレートと、リフィルの綴じ孔に挿通自在のリング部が複数設けられ、上端及び下端に突出部が形成された細長の綴じ具からなるシステム手帳であって、前記カバー及びプレート及び綴じ具は前記クリップにより挟持されると共に、前記クリップ及びカバー及びプレートは一体にネジ止めされて固定されること、を特徴とするものである。
【０００９】
また、請求項２に記載の考案は、システム手帳において、背表紙部の上部及び下部にネジ孔が形成され、前記背表紙部の上端及び下端に切欠部が形成されたカバーと、胴体部の略中央下部にネジ孔が形成され、前記胴体部の上部にフック部が設けられたクリップと、上部及び下部にネジ孔が形成された細長のプレートと、リフィルの綴じ孔に挿通自在のリング部が複数設けられ、上端及び下端に突出部が形成された細長の綴じ具と、上部及び下部に薄肉部が形成され、前記薄肉部にネジ孔が形成された細長の補強プレートと、からなるシステム手帳であって、前記補強プレート及びカバー及びプレート及び綴じ具は前記クリップにより挟持されると共に、前記クリップ及び補強プレート及びカバー及びプレートは一体にネジ止めされて固定されること、を特徴とするものである。
【考案の効果】
【００１０】
本考案によれば、システム手帳を構成するカバーは一枚で済み、二重構造とする必要がないため、軽量かつコンパクトなシステム手帳が実現され、使用者にとって利便である。
【００１１】
また、請求項２に係る考案によれば、使用者は、強度が増したシステム手帳をより安心して使用することができる。
【図面の簡単な説明】
【００１２】
【図１】（ａ）クリップの説明図である。（ｂ）カバーの裏面の説明図である。（ｃ）カバーの表面の説明図である。（ｄ）プレートの説明図である。（ｅ）綴じ具の説明図である。
【図２】システム手帳本体を組み立てる構成をカバーの裏面側から見た状態を示す説明図である。
【図３】（ａ）システム手帳本体を組み立てる構成をカバーの表面側から見た状態を示す説明図である。（ｂ）クリップ及びカバー及びプレート及び綴じ具が固定された状態を示す断面図である。
【図４】組み立て後のシステム手帳本体を示す説明図である。
【図５】補強プレートの説明図である。
【図６】（ａ）補強プレートを使用してシステム手帳本体を組み立てる構成をカバー裏面側から見た状態を示す説明図である。（ｂ）補強プレートを使用してシステム手帳本体を組み立てる構成をカバー表面側から見た状態を示す説明図である。
【図７】補強プレートを使用した組み立て後のシステム手帳本体を示す説明図である。
【図８】従来のシステム手帳の構造を示す説明図である。
【考案を実施するための形態】
【００１３】
以下、図１−図７に基づいて実施例を詳細に説明する。
【実施例１】
【００１４】
図１（ａ）〜（ｅ）はシステム手帳１を構成するクリップ、カバー、プレート、綴じ具の説明図であり、図１（ａ）において符号の２はクリップ、３はクリップ２の胴体部、４は胴体部３の上部に設けられたフック部、５は胴体部３の略中央下部に形成されたネジ孔である。
【００１５】
図１（ｂ）、（ｃ）において符号の６はカバー、６ａはカバー表側、６ｂはカバー裏側、７はカバー６の背表紙、７ａは背表紙表側、７ｂは背表紙裏側、８は背表紙７の上部及び下部に形成されたネジ孔、９は背表紙７の上端及び下端に形成された切欠部である。
【００１６】
図１（ｄ）において符号の１０は細長のプレート、１０ａはプレート上端部、１０ｂはプレート下端部、１１はプレートの上部及び下部に形成されたネジ孔、図１（ｅ）において１２はプレート１０と略同一の長さの綴じ具、１２ａは綴じ具１２の上端に形成された突出部、１２ｂは綴じ具１２の下端に形成された突出部、１３はリフィルの綴じ孔に挿通自在のリング部である。
なお、突出部１２ａ、１２ｂは薄肉部であり、図において突出部１２ａ、１２ｂの厚みはプレート１０と略同一としているが、その厚みは限定されるものではない。
【００１７】
システム手帳１の組み立て方法は、図２に示すように、カバー裏側６ｂが見える状態でカバー６を開き、プレート１０を背表紙裏側７ｂに沿わせてネジ孔８とネジ孔１１の位置を合わせた後、ネジ１５をネジ孔８とネジ孔１１に挿入し、ネジ１５の先端部１５ａを背表紙表側７ａに突出させる。
【００１８】
次に、綴じ具１２をプレート１０に対して両面テープ１７で仮止めする。
【００１９】
次に、図３（ａ）に示すように、ネジ孔５を背表紙表側７ａに突出したネジ１５の先端部１５ａに挿通させた後、図３（ｂ）に示すように、フック部４と胴体部３で背表紙７及びプレート上端部１０ａ及び突出部１２ａを挟持させながらクリップ２を切欠部９に係合させる。
【００２０】
次に、背表紙表側に突出したネジ１５の先端部１５ａにナット１４を締着し、クリップ２、プレート１０、綴じ具１２はカバー６に固定され、システム手帳１が完成する（図４）。
【実施例２】
【００２１】
図５はシステム手帳１の強度を上げるための補強プレートの説明図であり、符号の１６は上部及び下部に薄肉部１７を形成した補強プレート、１８は薄肉部１７に形成されたネジ孔である。
なお、薄肉部１７の厚さは、補強プレート１６の厚さからクリップ２の胴体部３の厚さを引いた厚さである。
【００２２】
補強プレート１７は、実施例１と同様に、ネジ１５をカバー６のネジ孔８とプレート１０のネジ孔１１に挿入し、ネジ１５の先端部１５ａを背表紙表側７ａに突出させ、綴じ具１２をプレート１０に対して両面テープ１７で仮止めした後、図６（ａ），（ｂ）に示すように、ネジ孔１８をネジ１５の先端部１５ａに挿通させながら背表紙表側７ａに沿わせる。
【００２３】
次に、ネジ孔１８から突出したネジ１５の先端部１５ａにネジ孔５を挿通させながら薄肉部１７と胴体部３を係合させた後、フック部４と胴体部３で背表紙７及びプレート上端部１０ａ及び突出部１２ａを挟持させながらクリップ２を切欠部９に係合させる。
【００２４】
次に、ネジ１５の先端部１５ａにナット１４を締着することにより、クリップ２、プレート１０、綴じ具１２、補強プレート１７はカバー６に組み付けられ、補強プレート１７により強度が増したシステム手帳１が完成する（図７）。
【符号の説明】
【００２５】
１  システム手帳
２  クリップ
３  胴体部
４  フック部
５  ネジ孔
６  カバー
６ａ  カバー表側
６ｂ  カバー裏側
７  背表紙
７ａ  背表紙表側
７ｂ  背表紙裏側
８  ネジ孔
９  切欠部
１０  プレート
１０ａ  プレート上端部
１０ｂ  プレート下端部
１１  ネジ孔
１２  綴じ具
１２ａ  突出部
１２ｂ  突出部
１３  リング部
１４  ナット
１５  ネジ
１５ａ  ネジ先端部
１６  補強プレート
１７  薄肉部
１８  ネジ孔
【図１】
0003223588.tif 000003
【図２】
0003223588.tif 000004
【図３】
0003223588.tif 000005
【図４】
0003223588.tif 000006
【図５】
0003223588.tif 000007
【図６】
0003223588.tif 000008
【図７】
0003223588.tif 000009
【図８】
0003223588.tif 000010